(57)【要約】【課題】ロール紙を巻取りスプールの巻取軸に強固に巻き取られている場合であっても、ロール紙を巻取軸から容易に引き抜くことができる巻取りスプール、及び画像形成装置を提供する。【解決手段】巻取りスプール３は、スプール４及びホイール５を備える。スプール４とホイール５とは着脱自在に構成される。スプール４は、巻取軸４１、フランジ４２、及び傾斜リブ４３を備える。巻取軸４１はロール紙を周面に巻き取る。フランジ４２は、巻取軸４１の軸方向に直交するようにして、巻取軸４１の先端部４１０の反対側の端部に設けられる。傾斜リブ４３は、巻取軸４１の先端部４１０に向かって傾斜するようにフランジ４２に設けられる。ホイール５が備える挿入孔５２は、規制リブ５２３を有し、巻取軸４１の先端部４１０が挿入される。規制リブ５２３は、先端部４１０が挿入口５２に挿入された状態で、巻取軸４１と平行になるように傾斜リブ４３を規制する。【選択図】  図２
2016078966.tif 000002
【特許請求の範囲】
【請求項１】
ロール紙を巻きつけるための巻取軸と、前記巻取軸の一端に前記巻取軸に直交するように設けられたフランジと、前記フランジに設けられ前記巻取軸の先端部に向かって傾斜した傾斜リブと、を有するスプールと、
前記巻取軸の先端部を挿入するための挿入孔と、前記傾斜リブが前記巻取軸と平行になるようにして前記傾斜リブを規制するための規制リブと、を有するホイールと、を備える巻取りスプール。
【請求項２】
前記傾斜リブは、前記巻取軸の軸を中心とする円弧状を呈する請求項１に記載の巻取りスプール。
【請求項３】
前記スプールは、前記傾斜リブを複数有する請求項２に記載の巻取りスプール。
【請求項４】
前記スプールは、円筒形状を呈する前記傾斜リブを複数有する請求項１に記載の巻取りスプール。
【請求項５】
前記ホイールの前記規制リブは、円弧形状を呈し、前記挿入孔に設けられる請求項２〜請求項４の何れかに記載の巻取りスプール。
【請求項６】
前記ホイールと前記スプールをロックするためのロック機構をさらに備える請求項１〜請求項５の何れかに記載の巻取りスプール。
【請求項７】
ロール紙に印字する印字部と、
前記印字部によって印字された前記ロール紙を巻き取るための巻取りスプールであって、請求項１〜請求項６の何れかに記載の巻取りスプールと、を備える画像形成装置。
【発明の詳細な説明】
【技術分野】
【０００１】
この発明は、ロール紙を巻き取るための巻取りスプールを備える電子レジスタやＰＯＳ端末等の画像形成装置に関する。
【背景技術】
【０００２】
電子レジスタやＰＯＳ端末等の画像形成装置には、顧客に対して提供するレシート、及び店舗の記録保存用（すなわちジャーナル用）として、ロール紙に商品名や商品金額を印字するものがある（例えば、特許文献１参照。）。
【０００３】
レシートとして印字されたロール紙は、顧客毎に切断されて顧客に提供される。また、ジャーナル用として印字されたロール紙は、印字後に巻取りスプールに巻き取られる。巻取りスプールは、ロール紙を巻き取るための巻取軸と、巻取軸の両端部に設けられたフランジと、を備える。フランジは、一方が巻取軸に固定され、他方が巻取軸に着脱自在に構成されている。
【０００４】
そして、ロール紙がなくなると、新たなロール紙を補充するとともに、ジャーナル用として印字されたロール紙を巻取りスプールから取り除く。ロール紙を巻取りスプールから取り除くには、フランジを巻取軸から着脱した後に、ロール紙を巻取軸から引き抜く必要がある。
【先行技術文献】
【特許文献】
【０００５】
【特許文献１】特開２００１−３１０８４５号公報
【発明の概要】
【発明が解決しようとする課題】
【０００６】
しかしながら、巻取りスプールの製造誤差により、ロール紙が巻取りスプールの巻取軸に強固に巻き取られることがある。このような場合には、ロール紙を巻取軸から引き抜き難くなる。
【０００７】
この発明の目的は、ロール紙が巻取りスプールの巻取軸に強固に巻き取られている場合であっても、ロール紙を巻取軸から容易に引き抜くことができる巻取りスプール及び画像形成装置を提供することである。
【課題を解決するための手段】
【０００８】
この発明の巻取りスプールは、スプールとホイールとを備える。スプールは、ロール紙を巻きつけるための巻取軸と、巻取軸の一端に巻取軸に直交するように設けられたフランジと、フランジに設けられ巻取軸の先端部に向かって傾斜した傾斜リブと、を有する。ホイールは、巻取軸の先端部を挿入するための挿入孔と、傾斜リブが巻取軸と平行になるようにして傾斜リブを規制するための規制リブと、を有する。
【０００９】
巻取りスプールは、傾斜リブが巻取軸の反対側に反った状態で規制リブに規制されるため、傾斜リブの弾性によりスプールとホイールが強固に結合される。また、巻取りスプールは、傾斜リブが巻取軸と平行になるようにスプールがホイールに挿入され、ロール紙の巻取り方向に直交する方向が巻取軸と平行になるため、ロール紙を巻取軸及び傾斜リブの周面に安定して巻き取る。そして、ロール紙の交換時にスプールをホイールから着脱すると、巻取りスプールは、傾斜リブが巻取軸の先端部に向かって傾斜するため、ロール紙を巻取軸から容易に引き抜ける。
【００１０】
また、傾斜リブは、巻取軸の軸を中心とする円弧状を呈することが好ましい。これにより、巻取りスプールは、巻取軸と傾斜リブとの周面がより円形に近づくため、ロール紙を安定して巻き取ることができる。
【００１１】
また、スプールは、傾斜リブを複数有することが好ましい。これにより、巻取りスプールは、スプールをホイールから着脱した状態で、複数の傾斜リブが巻取軸の先端部に向かって傾斜するため、ロール紙を巻取軸からより容易に引き抜ける。
【００１２】
また、スプールは、円筒形状を呈する傾斜リブを複数有することが好ましい。これにより、巻取りスプールは、スプールをホイールから着脱した状態で、複数の傾斜リブが巻取軸の先端部に向かって傾斜するため、ロール紙を巻取軸からより容易に引き抜ける。
【００１３】
また、ホイールの規制リブは、円弧形状を呈し、挿入孔に設けられることが好ましい。これにより、巻取りスプールは、傾斜リブが規制リブに円周方向に遊びを有する状態で規制されるため、スプールをホイールに容易に装着できる。
【００１４】
また、ホイールとスプールをロックするためのロック機構をさらに備えることが好ましい。巻取りスプールは、ロック機構によりスプールがホイールにより強固に装着される。
【００１５】
また、この発明の画像形成装置は、印字部と上述の巻取りスプールとを備える。印字部は、ロール紙に印字する。巻取りスプールは、印字部によって印字されたロール紙を巻き取る。
【００１６】
画像形成装置は、ロール紙が巻取りスプールの巻取軸に強固に巻き取られている場合であっても、上述の巻取りスプールを備えるため、ロール紙を巻取軸から容易に引き抜ける。
【発明の効果】
【００１７】
この発明によれば、ロール紙を巻取りスプールの巻取軸に強固に巻き取られている場合であっても、ロール紙を巻取軸から容易に引き抜くことができる。
【図面の簡単な説明】
【００１８】
【図１】本発明の第１実施形態に係るレジスタの上面図である。
【図２】同レジスタが備える巻取りスプールのスプールをホイールから着脱した図である。
【図３】（Ａ）は、同巻取りスプールのスプールをホイールに装着した図であり、（Ｂ）は（Ａ）の一部拡大図である。
【図４】（Ａ）は、同スープ―ルの巻取軸の中心部の断面図（図２のＡ−Ａ断面図）であり、（Ｂ）は、同巻取軸の先端部の断面図（図３のＢ−Ｂ断面図）である。
【図５】（Ａ）は、第２実施形態に係る巻取りスプールの巻取軸の中心部の断面図であり、（Ｂ）は、同巻取軸の先端部の断面図である。
【図６】（Ａ）は、第３実施形態に係る巻取りスプールの巻取軸の中心部の断面図であり、（Ｂ）は、同巻取軸の先端部の断面図である。
【図７】（Ａ）は、第４実施形態に係る巻取りスプールが備えるロック機構の一例を示す図であり、（Ｂ）は、同ロック機構の拡大図である。
【発明を実施するための形態】
【００１９】
この発明の第１実施形態に係るレジスタ（本発明の画像形成装置に相当する。）について、図を参照して説明する。図１に示すように、レジスタ１は、キャビネット部１１、表示部１２、本体部１３を備え、商品名及び商品金額を印字したレシートを排出するとともに、履歴として商品名及び商品金額をジャーナル用のロール紙に印字する。
【００２０】
キャビネット部１１は、操作部２１を備える。操作部２１は、複数の操作キーを有し、商品名や商品金額等の入力を受け付ける。
【００２１】
表示部１２は、所謂モニタであり、本体部１３上で回動自在に設けられている。
【００２２】
本体部１３は、ロール紙収納部２２、印字部２３、及び排出口２４を備える。
【００２３】
ロール紙収納部２２は、レシート用のロール紙、ジャーナル用のロール紙、及び印字されたジャーナル用のロール紙を収納する。
【００２４】
印字部２３は、レシート用のロール紙、及びジャーナル用のロール紙に対して、操作部２１から入力された商品名や商品金額等を印字する。印字されたレシート用のロール紙は、排出口２４から排出され顧客毎に切断された後に、顧客に提供される。印字されたジャーナル用のロール紙は、巻取りスプール３（図２参照。）に巻き取られ、ロール紙収納部２２に収納される。
【００２５】
図２〜４に示すように、巻取りスプール３は、スプール４、及びホイール５を備える。スプール４とホイール５とは、着脱自在に構成されている。
【００２６】
図２に示すように、スプール４は、巻取軸４１、フランジ４２、及び傾斜リブ４３を備え、樹脂で一体形成されている。
【００２７】
巻取軸４１は、凸部４１１、及び巻取り用リブ４１２を備え、ロール紙を周面に巻き取る。巻取軸４１の長さは、ロール紙の幅方向（ロール紙の巻取方向に直交する方向）の長さよりも長く形成されている。
【００２８】
また、巻取軸４１の先端部４１０の断面は、図４（Ｂ）に示すように、円の一部を一直線上に沿って切断した円弦状を呈する。また、巻取軸４１の中心部４１４の断面は、図４（Ａ）に示すように、円を平行な２辺にそって切断した小判形状を呈する。すなわち、巻取軸４１の中心部４１４の断面は、平行な２辺と当該２辺に隣接し対称に形成された２つの円弧とから構成される小判形状を呈する。なお、巻取軸４１は、内部に空間を有しない柱状を呈してもよいし、内部に空間を有する筒状を呈してもよい。
【００２９】
図２に示すように、巻取軸４１の先端部４１０には、凸部４１１が形成されている。凸部４１１は、円筒形状又は円柱形状を呈し、ホイール５の挿入孔５２の凹部５２２に挿入される。凸部４１１の外周面は、凹部５２２の内周面にほぼ一致する。
【００３０】
巻取軸４１は、先端部４１０から先端部４１０の反対側の端部に向かって巻取軸４１の長手方向に沿って切り欠き４１３が形成されている。巻取軸４１には、切り欠き４１３によって巻取り用リブ４１２が形成されている。巻取り用リブ４１２は、長さが巻取軸４１の長さよりも短く、巻取軸４１の長手方向に沿って形成されている。巻取り用リブ４１２の外周面は、巻取軸４１の先端部４１０の外周面上に設けられている。また、巻取り用リブ４１２の断面は、図４（Ａ）に示すように、巻取軸４１の中心部４１４の断面に形成された辺に対して、長手方向が平行に形成された矩形状を呈する。
【００３１】
図２に示すように、フランジ４２は、略円形状の平板を呈し、巻取軸４１の軸方向に直交するようにして、巻取軸４１の先端部４１０の反対側の端部に設けられている。また、フランジ４２の巻取軸４１の反対側には、支持部４２１が形成されている。支持部４２１は、巻取りスプール３が巻取軸４１の周面方向に沿って回転自在となるようにフレーム（不図示）によって支持される。
【００３２】
傾斜リブ４３は、巻取軸４１の先端部４１０に向かって傾斜するようにフランジ４２に設けられている。傾斜リブ４３の断面は、図４（Ａ）、図４（Ｂ）に示すように、平行な２辺と当該２辺に隣接し平行に形成された２つの円弧とから構成され、２つの円弧の中心が巻取軸４１側に位置する円弧状を呈する。
【００３３】
図２に示すように、ホイール５は、駆動接続部５１、及び挿入孔５２を備え、樹脂で一体形成されている。ホイール５は、中心部に向かって凸となる多段の略円柱形状を呈し、最大周面のサイズがフランジ４２の周面のサイズとほぼ等しくなるように形成されている。
【００３４】
ホイール５の最小周面側には、駆動接続部５１が設けられている。駆動接続部５１は、ギア又はベルト等を介して駆動源（不図示）に接続される。駆動接続部５１は、駆動源から駆動力が伝達されると、ホイール５の周面方向に沿ってホイール５を回転させる。
【００３５】
ホイール５の最大周面側の中心部には、挿入孔５２が形成されている。挿入孔５２は、開口部５２１、凹部５２２、及び規制リブ５２３を有し、巻取軸４１の先端部４１０が挿入される。
【００３６】
開口部５２１は、図４（Ｂ）に示すように、巻取軸４１の先端部４１０側の断面の円弧に沿った円形状を呈する。
【００３７】
図２に示すように、開口部５２１の中心部には、凹部５２２が形成されている。凹部５２２の内周面のサイズは、巻取軸４１の凸部４１１の外周面のサイズとほぼ等しい。凹部５２２には、凸部４１１が挿入される。
【００３８】
開口部５２１の凹部５２２の周囲には、凹部５２２の反対側に向かって突出する規制リブ５２３が形成されている。規制リブ５２３は、図３（Ａ）に示すように、スプール４の巻取軸４１の先端部４１０をホイール５の挿入口５２に挿入した状態で、巻取軸４１と平行になるように傾斜リブ４３を規制する。図３（Ｂ）に示すように、規制リブ５２３は、最も近い開口部５２１の内周面までの距離Ｄが、傾斜リブ４３の２つの円弧間の距離よりも僅かに大きくなるような位置に形成されている。規制リブ５２３の断面は、図４（Ｂ）に示すように、平行な２辺と当該２辺に隣接し平行に形成された２つの円弧とから構成され、２つの円弧の中心部が凹部５２２側に位置する円弧状を呈する。なお、規制リブ５２３の断面の形状である円弧状には、矩形状の１辺に円弧を形成し、当該円弧が凹部５２２の反対側に位置するような形状についても含む。
【００３９】
図３（Ａ）に示すように、傾斜リブ４３は、スプール４をホイール５に装着した状態で、規制リブ５２３によって巻取軸４１と平行になるように変位する。また、傾斜リブ４３が巻取軸４１の反対側に反った筐体で規制リブ５２３によって規制されているため、傾斜リブ４３の弾性によりスプール４がホイール５に強固に装着される。
【００４０】
スプール４をホイール５に装着した状態で、巻取りスプール３は、巻取軸４１及び傾斜リブ４３の周面にロール紙を巻き取るため、幅方向に対してロール紙が傾斜せずに、ロール紙を巻取軸４１に安定して巻き取ることができる。
【００４１】
また、図２に示すように、ロール紙の交換時には、スプール４をホイール５から着脱した状態で、傾斜リブ４３が巻取軸４１の先端部４１０に向かって傾斜するため、ロール紙を巻取軸４１から容易に引き抜くことができる。
【００４２】
なお、第１実施形態では、スプール４に支持部４２１を設け、ホイール５に駆動接続部５１を設けたが、スプール４に駆動接続部５１を設け、ホイール５に支持部４２１を設けてもよい。駆動接続部５１をスプール４に設けることで、回転時にホイール５に負荷がかからないため、より安定して巻取りスプール３を回転させることができる。
【００４３】
第２実施形態に係る画像形成装置について、図５を参照して説明する。第２実施形態に係る画像形成装置は、巻取りスプール３Ａの形状が第１実施形態に係る巻取りスプール３の形状と相違する。以下に、相違点についてのみ説明する。
【００４４】
図５に示すように、傾斜リブ４３Ａは、巻取軸４１Ａの先端部４１０Ａに向かって傾斜するようにフランジ４２に複数設けられている。
【００４５】
巻取軸４１Ａの先端部４１０Ａの断面は、図５（Ｂ）に示すように、矩形の１辺が外方に凸とする円弧を有する形状を呈する。また、巻取軸４１Ａの中心部４１４Ａの断面は、図５（Ａ）に示すように、矩形状を呈する。なお、巻取軸４１Ａの先端部４１０Ａの断面は、少なくとも外方に凸とする円弧を有すればよく、巻取軸４１Ａの中心部４１４Ａの断面は、円形状であってもよい。
【００４６】
また、規制リブ５２３Ａは、複数の傾斜リブ４３Ａを規制する。なお、複数の傾斜リブ４３の各々を規制する複数の規制リブ５２３Ａを設けてもよい。
【００４７】
これにより、ロール紙の交換時には、スプール４Ａをホイール５Ａから着脱した状態で、複数の傾斜リブ４３Ａが巻取軸４１Ａの先端部４１０Ａに向かって傾斜するため、ロール紙を巻取軸４１Ａからより容易に引き抜くことができる。
【００４８】
第３実施形態に係る画像形成装置について、図６を参照して説明する。第３実施形態に係る画像形成装置は、巻取りスプール３Ｂの形状が第２実施形態に係る巻取りスプール３Ａの形状と相違する。以下に、相違点についてのみ説明する。
【００４９】
図６に示すように、傾斜リブ４３Ｂは、巻取軸４１Ｂの先端部４１０Ｂに向かって傾斜するようにフランジ４２に複数設けられている。傾斜リブ４３Ｂは、円柱形状を呈する。
【００５０】
これにより、ロール紙の交換時には、スプール４Ｂをホイール５Ｂから着脱した状態で、複数の傾斜リブ４３Ｂが巻取軸４１Ｂの先端部４１０Ｂに向かって傾斜するため、ロール紙を巻取軸４１Ｂからより容易に引き抜くことができる。
【００５１】
第４実施形態に係る画像形成装置について、図７を参照して説明する。第４実施形態に係る画像形成装置の巻取りスプール３Ｃは、ロック機構６を備える点で、第１〜第３実施形態に係る画像形成装置と相違する。以下に、相違点についてのみ説明する。
【００５２】
図７（Ｂ）に示すように、ロック機構６は、係合孔６１と係合部６２とから構成される。
【００５３】
係合孔６１は、スプール４Ｃの巻取軸４１Ｃの先端部４１０Ｃに形成されている。
【００５４】
係合部６２は、ホイール５Ｃの挿入孔５２Ｃの開口部５２１Ｃから突出するように形成されている。係合部６２の外周面のサイズは、係合孔６１の内周面のサイズに一致する。
【００５５】
スプール４Ｃをホイール５Ｃに装着すると、係合部６２が係合孔６１に圧入されて、係合孔６１と係合部６２とが強固に係合する。これにより、巻取りスプール３Ｃは、ロック機構６を備えることで、スプール４Ｃとホイール５Ｃとを強固に装着できる。なお、ロック機構６が備える係合孔６１及び係合部６２は、形状が上述に限らず、スプール４Ｃ及びホイール５Ｃに形成されればよい。
【００５６】
なお、上述の実施形態では、レジスタを例に挙げて説明したが、ＰＯＳ端末でもよく、ロール紙を巻き取る巻取りスプールを備える画像形成装置であればよい。
【００５７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５８】
３，３Ａ，３Ｂ，３Ｃ…巻取りスプール
４，４Ａ，４Ｂ，４Ｃ…スプール
５，５Ａ，５Ｂ，５Ｃ…ホイール
４１、４１Ａ，４１Ｂ，４１Ｃ…巻取軸
４２…フランジ
４３，４３Ａ，４３Ｂ…傾斜リブ
５２，５２Ｃ…挿入孔
５２３…規制リブ
【図１】
2016078966.tif 000003
【図２】
2016078966.tif 000004
【図３】
2016078966.tif 000005
【図４】
2016078966.tif 000006
【図５】
2016078966.tif 000007
【図６】
2016078966.tif 000008
【図７】
2016078966.tif 000009